(57)【要約】【課題】手袋の指先端部分に挿脱可能に取り付けることができ、着用者の指先部位をその衝撃から保護することができる手袋用指先保護具を提供する。【解決手段】手袋用指先保護具１０Ａは、手袋の五指包被部の各指先端部分の内側に挿脱可能に挿入され、手袋のそれら指先端部分に挿入された状態において、着用者の母指、示指、長指、薬指、小指のうちの末節骨が延びる各指先部位を覆う所定硬度の第１〜第３殻部材３２ａ〜３２ｃから形成され、手袋の指先端部分に衝撃が加えられたときに殻部材３２ａ〜３２ｃが着用者の各指先部位をその衝撃から保護する。【選択図】図１
2017036523.tif 000002
【特許請求の範囲】
【請求項１】
着用者の母指、示指、長指、薬指、小指を包被する五指包被部を有する手袋の該五指包被部の各指先端部分の内側に挿脱可能に挿入され、前記手袋のそれら指先端部分に挿入された状態において、前記母指、示指、長指、薬指、小指のうちの末節骨が延びる各指先部位を覆う所定硬度の複数の殻部材から形成され、前記手袋のそれら指先端部分に衝撃が加えられたときに着用者の各指先部位をその衝撃から保護する手袋用指先保護具。
【請求項２】
それら殻部材が、前記着用者の各指先部位を挿脱可能な開口部と、前記開口部から前方に延びていて前記指先部位のうちの指の甲全域および指の腹全域を包被する被覆部とを有し、前記被覆部が、前記開口部から前方へ向かって凸となるように弧を描くとともに、前記五指包被部の各指先端部分の内側に遊動不能に密着する請求項１に記載の手袋用指先保護具。
【請求項３】
それら殻部材が、前記着用者の各指先部位を挿脱可能であって各指先部位の指の腹を露出させる開口部と、前記開口部から前方に延びていて前記指先部位のうちの指の甲全域および指の腹側面を包被する被覆部とを有し、前記被覆部が、前記指の腹から指の甲に向かって凸となるように弧を描くとともに、前記五指包被部の各指先端部分の内側に遊動不能に密着する請求項１に記載の手袋用指先保護具。
【請求項４】
それら殻部材が、前記着用者の母指の指先部位を覆う１番大きい第１殻部材と、前記着用者の示指の指先部位、長指の指先部位、薬指の指先部位を覆う２番目に大きい第２殻部材と、前記着用者の小指の指先部位を覆う１番小さい第３殻部材とから形成され、前記第１〜第３殻部材の被覆部が、前記五指包被部の各指先端部分の内側に遊動不能に密着する請求項２または請求項３に記載の手袋用指先保護具。
【請求項５】
着用者の母指、示指、長指、薬指、小指を包被する五指包被部を有する手袋にいて、
前記手袋が、前記五指包被部の各指先端部分の内側に配置され、前記母指、示指、長指、薬指、小指のうちの末節骨が延びる各指先部位を覆う所定硬度の複数の殻部材を有し、それら殻部材が、前記手袋の各指先端部分に衝撃が加えられたときに着用者の各指先部位をその衝撃から保護することを特徴とする手袋。
【請求項６】
それら殻部材が、前記着用者の各指先部位を挿脱可能な開口部と、前記開口部から前方に延びていて前記指先部位のうちの指の甲全域および指の腹全域を包被する被覆部とを有し、前記被覆部が、前記開口部から前方へ向かって凸となるように弧を描くとともに、前記五指包被部の各指先端部分の内側に固定されている請求項５に記載の手袋。
【請求項７】
それら殻部材が、前記着用者の各指先部位を挿脱可能であって各指先部位の指の腹を露出させる開口部と、前記開口部から前方に延びていて前記指先部位のうちの指の甲全域および指の腹側面を包被する被覆部とを有し、前記被覆部が、前記指の腹から指の甲に向かって凸となるように弧を描くとともに、前記五指包被部の各指先端部分の内側に固定されている請求項５に記載の手袋。
【請求項８】
それら殻部材が、前記着用者の母指の指先部位を覆う１番大きい第１殻部材と、前記着用者の示指の指先部位、長指の指先部位、薬指の指先部位を覆う２番目に大きい第２殻部材と、前記着用者の小指の指先部位を覆う１番小さい第３殻部材とから形成され、前記第１〜第３殻部材の被覆部が、前記五指包被部の各指先端部分の内側に固定されている請求項６または請求項７に記載の手袋。
【請求項９】
それら殻部材が、プラスチックまたは軽量な金属から作られ、柔軟なシート材が、それら殻部材の被覆部の内面に取り付けられている請求項７または請求項８に記載の手袋。
【発明の詳細な説明】
【技術分野】
【０００１】
本発明は、手袋を着用した着用者の各指先部位を衝撃から保護する手袋用指先保護具および着用者の各指先部位を衝撃から保護する殻部材を有する手袋に関する。
【背景技術】
【０００２】
指の手の平側を除いて指を覆うとともに指のそれぞれの関節の位置に対応して折曲可能な指保護部材と、指保護部材の複数を連結する可撓性の連結部材と、連結部材の指保護部材とは反対の端部に連結されて指保護部材を着脱可能に固定する可撓性の帯体と、指保護部材を指に取り付ける取り付け手段とを有し、手の指に装着されて外力の指への伝達を遮断する指保護具が開示されている（特許文献１参照）。
【０００３】
この指保護具は、指保護部材が指の手の平側を除いて指を覆っているために、物品に手をかけた場合、指の腹の部分で物品を感じ取ることが可能になるから、物品を支持する場合に、物品の重心の移動等、物品の細かな姿勢の変化を感じ取ることができ、作業性を向上させることができるとともに、指保護部材が外力の指への伝達を遮断するから、安全に作業を遂行することが可能である。
【先行技術文献】
【特許文献】
【０００４】
【特許文献１】特開２００９−６２６４９号公報
【発明の概要】
【発明が解決しようとする課題】
【０００５】
前記特許文献１に開示の指保護具は、それ自体が直接着用者の手に装着され、指保護部材が着用者の手を覆う連結部材（手袋）の外側に固定されているから、指保護部材を各種複数の手袋の指先端部分に挿脱可能に取り付けることはできない。したがって、手袋の五指包被部を強化して着用者の指先部位を衝撃から保護する保護形態と手袋をそのまま使用する通常形態との両使用形態に対応することはできない。なお、手袋を着用することが必要であって危険をともなう作業では、手袋を着用した状態において、手袋の指先端部分に衝撃が加えられたときに着用者の各指先部位をその衝撃から保護する必要がある。市販の手袋では、着用者の各指先部位を衝撃から保護する部材がその指先端部分に取り付けられておらず、指先端部分に衝撃が加えられた場合、着用者が思わぬ怪我を負う場合がある。
【０００６】
本発明の目的は、各種複数の手袋の五指包被部の指先端部分に挿脱可能に取り付けることができ、五指包被部の指先端部分を強化して着用者の指先部位を衝撃から保護する保護形態と手袋をそのまま使用する通常形態との両使用形態に対応することができるとともに、着用者の指先部位を衝撃から保護する保護形態において着用者の指先部位をその衝撃から確実に保護することができる手袋用指先保護具を提供することにある。本発明の他の目的は、着用者の各指先部位を衝撃から保護することが可能な手袋を提供することにある。
【課題を解決するための手段】
【０００７】
前記課題を解決するための本発明の手袋用指先保護具は、着用者の母指、示指、長指、薬指、小指を包被する五指包被部を有する手袋の五指包被部の各指先端部分の内側に挿脱可能に挿入され、手袋のそれら指先端部分に挿入された状態において、母指、示指、長指、薬指、小指のうちの末節骨が延びる各指先部位を覆う所定硬度の複数の殻部材から形成され、手袋のそれら指先端部分に衝撃が加えられたときに着用者の各指先部位をその衝撃から保護することを特徴とする。
【０００８】
本発明の手袋用指先保護具の一例としては、それら殻部材が着用者の各指先部位を挿脱可能な開口部と開口部から前方に延びていて指先部位のうちの指の甲全域および指の腹全域を包被する被覆部とを有し、被覆部が開口部から前方へ向かって凸となるように弧を描くとともに、五指包被部の各指先端部分の内側に遊動不能に密着する。
【０００９】
本発明の手袋用指先保護具の他の一例としては、それら殻部材が着用者の各指先部位を挿脱可能であって各指先部位の指の腹を露出させる開口部と開口部から前方に延びていて指先部位のうちの指の甲全域および指の腹側面を包被する被覆部とを有し、被覆部が指の腹から指の甲に向かって凸となるように弧を描くとともに、五指包被部の各指先端部分の内側に遊動不能に密着する。
【００１０】
本発明の手袋用指先保護具の他の一例としては、それら殻部材が着用者の母指の指先部位を覆う１番大きい第１殻部材と着用者の示指の指先部位、長指の指先部位、薬指の指先部位を覆う２番目に大きい第２殻部材と着用者の小指の指先部位を覆う１番小さい第３殻部材とから形成され、第１〜第３殻部材の被覆部が五指包被部の各指先端部分の内側に遊動不能に密着する。
【００１１】
前記課題を解決するための本発明の手袋は、着用者の母指、示指、長指、薬指、小指を包被する五指包被部を有する手袋を前提とし、五指包被部の各指先端部分の内側に配置されて母指、示指、長指、薬指、小指のうちの末節骨が延びる各指先部位を覆う所定硬度の複数の殻部材を有し、それら殻部材が手袋の各指先端部分に衝撃が加えられたときに着用者の各指先部位をその衝撃から保護することを特徴とする。
【００１２】
本発明の手袋の一例としては、それら殻部材が着用者の各指先部位を挿脱可能な開口部と開口部から前方に延びていて指先部位のうちの指の甲全域および指の腹全域を包被する被覆部とを有し、被覆部が開口部から前方へ向かって凸となるように弧を描くとともに、五指包被部の各指先端部分の内側に固定されている。
【００１３】
本発明の手袋の他の一例としては、それら殻部材が着用者の各指先部位を挿脱可能であって各指先部位の指の腹を露出させる開口部と開口部から前方に延びていて指先部位のうちの指の甲全域および指の腹側面を包被する被覆部とを有し、被覆部が指の腹から指の甲に向かって凸となるように弧を描くとともに、五指包被部の各指先端部分の内側に固定されている。
【００１４】
本発明の手袋の他の一例としては、それら殻部材が着用者の母指の指先部位を覆う１番大きい第１殻部材と着用者の示指の指先部位、長指の指先部位、薬指の指先部位を覆う２番目に大きい第２殻部材と着用者の小指の指先部位を覆う１番小さい第３殻部材とから形成され、第１〜第３殻部材の被覆部が五指包被部の各指先端部分の内側に固定されている。
【００１５】
本発明の手袋の他の一例としては、それら殻部材がプラスチックまたは軽量な金属から作られ、柔軟なシート材がそれら殻部材の被覆部の内面に取り付けられている。
【発明の効果】
【００１６】
本発明にかかる手袋用指先保護具によれば、着用者の各指先部位を覆う所定硬度の複数の殻部材から形成され、それら殻部材が手袋の五指包被部の各指先端部分の内側に挿脱可能に挿入されるから、各種複数の手袋の五指包被部の指先端部分に挿脱可能に取り付けることができ、手袋の五指包被部の各指先端部分を強化して着用者の指先部位を衝撃から保護する保護形態と手袋をそのまま使用する通常形態との両使用形態に対応することができる。手袋用指先保護具は、所定硬度のそれら殻部材が着用者の母指、示指、長指、薬指、小指のうちの末節骨が延びる各指先部位を覆うから、手袋の各指先端部分に衝撃が加えられたとしても、その衝撃をそれら殻部材が吸収・緩和し、着用者の指先部位をその衝撃から確実に保護することができ、危険な作業を行う場合の各指先部位の怪我を未然に防ぐことができる。
【００１７】
それら殻部材が着用者の各指先部位を挿脱可能な開口部と開口部から前方に延びていて指先部位のうちの指の甲全域および指の腹全域を包被する被覆部とを有し、被覆部が開口部から前方へ向かって凸となるように弧を描くとともに五指包被部の各指先端部分の内側に遊動不能に密着する手袋用指先保護具は、所定硬度のそれら殻部材の被覆部が着用者の母指、示指、長指、薬指、小指のうちの各指先部位の全域を覆うから、手袋の各指先端部分に衝撃が加えられたとしても、その衝撃をそれら殻部材の被覆部が吸収・緩和し、着用者の指先部位をその衝撃から確実に保護することができ、危険な作業を行う場合の各指先部位の怪我を未然に防ぐことができる。手袋用指先保護具は、被覆部が手袋の各指先端部分の内側に遊動不能に密着するから、手袋の着用中にそれら殻部材が各指先端部分においてずれ動くことはなく、それら殻部材が各指先端部分においてずれ動くことによる手袋の作業性の低下を防ぐことができる。
【００１８】
それら殻部材が着用者の各指先部位を挿脱可能であって各指先部位の指の腹を露出させる開口部と開口部から前方に延びていて指先部位のうちの指の甲全域および指の腹側面を包被する被覆部とを有し、被覆部が指の腹から指の甲に向かって凸となるように弧を描くとともに五指包被部の各指先端部分の内側に遊動不能に密着する手袋用指先保護具は、所定硬度のそれら殻部材の被覆部が着用者の母指、示指、長指、薬指、小指のうちの各指先部位の指の甲全域および指の腹側面を覆うから、手袋の各指先端部分に衝撃が加えられたとしても、その衝撃をそれら殻部材の被覆部が吸収・緩和し、着用者の指先部位をその衝撃から確実に保護することができ、危険な作業を行う場合の各指先部位の怪我を未然に防ぐことができる。手袋用指先保護具は、着用者の指の腹がそれら殻部材の開口部から露出するから、着用者の各指先部位の触覚が失われることはなく、手袋の着用が必要な作業の作業性を向上させることができる。手袋用指先保護具は、被覆部が手袋の各指先端部分の内側に遊動不能に密着するから、手袋の着用中にそれら殻部材が各指先端部分においてずれ動くことはなく、それら殻部材が各指先端部分においてずれ動くことによる手袋の作業性の低下を防ぐことができるとともに、手袋の着用中において指の甲全域および指の腹側面の被覆部による被覆状態が維持され、着用者の指の甲全域および指の腹側面を確実に保護することができる。
【００１９】
それら殻部材が母指の指先部位を覆う１番大きい第１殻部材と示指の指先部位、長指の指先部位、薬指の指先部位を覆う２番目に大きい第２殻部材と小指の指先部位を覆う１番小さい第３殻部材とから形成され、第１〜第３殻部材の被覆部が手袋の五指包被部の各指先端部分の内側に遊動不能に密着する手袋用指先保護具は、それら殻部材が着用者の各指の指先部位の大きさに合致し、第１〜第３殻部材によって着用者の母指、示指、長指、薬指、小指の各指先部位を確実に覆うことができ、手袋の各指先端部分に加えられた衝撃を第１〜第３殻部材が吸収・緩和し、着用者の各指先部位をその衝撃から確実に保護することができる。手袋用指先保護具は、第１〜第３殻部材の被覆部が手袋の五指包被部の各指先端部分の内側に遊動不能に密着するから、手袋の着用中にそれら殻部材が各指先端部分においてずれ動くことはなく、それら殻部材が各指先端部分においてずれ動くことによる手袋の作業性の低下を防ぐことができるとともに、着用者の指先部位を確実に保護することができる。
【００２０】
本発明にかかる手袋によれば、着用者の各指先部位を覆う所定硬度の複数の殻部材が手袋の五指包被部の各指先端部分の内側に配置され、それら殻部材が着用者の各指先部位を衝撃から保護するから、手袋の各指先端部分に衝撃が加えられたとしても、その衝撃をそれら殻部材が吸収・緩和し、着用者の指先部位をその衝撃から確実に保護することができ、危険な作業を行う場合の各指先部位の怪我を未然に防ぐことができる。
【００２１】
それら殻部材が着用者の各指先部位を挿脱可能な開口部と開口部から前方に延びていて指先部位のうちの指の甲全域および指の腹全域を包被する被覆部とを有し、被覆部が開口部から前方へ向かって凸となるように弧を描くとともに五指包被部の各指先端部分の内側に固定されている手袋は、その各指先端部分の内側に固定された所定硬度のそれら殻部材の被覆部が着用者の母指、示指、長指、薬指、小指のうちの各指先部位の全域を覆うから、手袋の各指先端部分に衝撃が加えられたとしても、その衝撃をそれら殻部材の被覆部が吸収・緩和し、着用者の指先部位をその衝撃から確実に保護することができ、危険な作業を行う場合の各指先部位の怪我を未然に防ぐことができる。手袋は、被覆部がその各指先端部分の内側に固定されているから、手袋の着用中にそれら殻部材が各指先端部分においてずれ動くことはなく、それら殻部材が各指先端部分においてずれ動くことによる手袋の作業性の低下を防ぐことができる。
【００２２】
それら殻部材が着用者の各指先部位を挿脱可能であって各指先部位の指の腹を露出させる開口部と開口部から前方に延びていて指先部位のうちの指の甲全域および指の腹側面を包被する被覆部とを有し、被覆部が指の腹から指の甲に向かって凸となるように弧を描くとともに五指包被部の各指先端部分の内側に固定されている手袋は、その各指先端部分の内側に固定された所定硬度のそれら殻部材の被覆部が着用者の母指、示指、長指、薬指、小指のうちの各指先部位の指の甲全域および指の腹側面を覆うから、手袋の各指先端部分に衝撃が加えられたとしても、その衝撃をそれら殻部材の被覆部が吸収・緩和し、着用者の指先部位をその衝撃から確実に保護することができ、危険な作業を行う場合の各指先部位の怪我を未然に防ぐことができる。手袋は、着用者の指の腹がそれら殻部材の開口部から露出するから、着用者の各指先部位の触覚が失われることはなく、手袋の着用が必要な作業の作業性を向上させることができる。手袋は、被覆部がその各指先端部分の内側に固定されているから、手袋の着用中にそれら殻部材が各指先端部分においてずれ動くことはなく、それら殻部材が各指先端部分においてずれ動くことによる手袋の作業性の低下を防ぐことができるとともに、手袋の着用中において指の甲全域および指の腹側面の被覆部による被覆状態が維持され、着用者の指の甲全域および指の腹側面を確実に保護することができる。
【００２３】
それら殻部材が母指の指先部位を覆う１番大きい第１殻部材と示指の指先部位、長指の指先部位、薬指の指先部位を覆う２番目に大きい第２殻部材と小指の指先部位を覆う１番小さい第３殻部材とから形成され、第１〜第３殻部材の被覆部が五指包被部の各指先端部分の内側に固定されている手袋は、それら殻部材が着用者の各指の指先部位の大きさに合致し、第１〜第３殻部材によって着用者の母指、示指、長指、薬指、小指の各指先部位を確実に覆うことができ、手袋の各指先端部分に加えられた衝撃を第１〜第３殻部材が吸収・緩和し、着用者の各指先部位をその衝撃から確実に保護することができる。手袋は、第１〜第３殻部材の被覆部が手袋の五指包被部の各指先端部分の内側に固定されているから、手袋の着用中にそれら殻部材が各指先端部分においてずれ動くことはなく、それら殻部材が各指先端部分においてずれ動くことによる手袋の作業性の低下を防ぐことができるとともに、着用者の指先部位を確実に保護することができる。
【００２４】
それら殻部材がプラスチックまたは軽量な金属から作られ、柔軟なシート材がそれら殻部材の被覆部の内面に取り付けられている手袋は、プラスチックまたは軽量な金属から作られた殻部材が着用者の指先部位を確実に保護するのみならず、殻部材がプラスチックや軽量な金属から作られているから、手袋の各指先端部分の重量が必要以上に増加することはなく、手袋の各指先端部分の重量が増加することによる手袋の作業性の低下を防ぐことができる。手袋は、殻部材の被覆部の内面に柔軟なシート材が取り付けられているから、着用者の指先部位が殻部材の被覆部の内面に当接したときの触感が向上するとともに、殻部材の被覆部内面にクッション性を付与することができ、殻部材の保護機能を向上させることができる。
【図面の簡単な説明】
【００２５】
【図１】一例として示す手袋用指先保護具の斜視図。
【図２】図１の手袋用指先保護具を装着した手袋の斜視図。
【図３】図２のＡ−Ａ線矢視断面図。
【図４】図１の手袋用指先保護具に包被された着用者の手の斜視図。
【図５】他の一例として示す手袋用指先保護具の斜視図。
【図６】図５の手袋用指先保護具を装着した手袋の斜視図。
【図７】図６のＢ−Ｂ線矢視断面図。
【図８】図５の手袋用指先保護具に包被された着用者の手の斜視図。
【図９】一例として示す手袋の部分破断斜視図。
【図１０】掌の側から示す図９の手袋の部分破断斜視図。
【図１１】他の一例として示す手袋の部分破断斜視図。
【図１２】掌の側から示す図１１の手袋の部分破断斜視図。
【発明を実施するための形態】
【００２６】
一例として示す手袋用指先保護具１０Ａの斜視図である図１等の添付の図面を参照し、本発明にかかる手袋用指先保護具の詳細を説明すると、以下のとおりである。なお、図２は、図１の手袋用指先保護具１０Ａを装着した手袋１１の斜視図であり、図３は、図２のＡ−Ａ線矢視断面図である。図４は、手袋用指先保護具１０Ａに包被された着用者の手３７（右手）の斜視図である。
【００２７】
図２は、手袋１１を手の甲の側から示す。図２では、右手用の手袋１１のみを図示し、左手用の手袋の図示を省略している。図３は、一部を省略した手袋１１を二点鎖線で示す。図４では、手袋１１の図示を省略し、着用者の右手のみを図示し、着用者の左手の図示を省略している。手袋用指先保護具１０Ａは、右手用の手袋１１のみならず、左手用の手袋に装着されることはいうまでもなく、着用者の左手の各指先部位１７〜２１の保護にも使用される。
【００２８】
手袋用指先保護具１０Ａは、手袋１１を着用した着用者の母指１２（親指）、示指１３（人差し指）、長指１４（中指）、薬指１５、小指１６のうちの末節骨が延びる各指先部位１７〜２１を衝撃から保護し、着用者の各指先部位１７〜２１の怪我を防止する。手袋用指先保護具１０Ａは、着用者の母指１２、示指１３、長指１４、薬指１５、小指１６を包被する五指包被部２２〜２６を有する手袋１１のそれら包被部２２〜２６の各指先端部分２７〜３１の内側に挿脱可能に挿入される複数の殻部材３２から形成されている。
【００２９】
着用者の各指先部位１７〜２１には、着用者の母指１２のうちの末節骨が延びる母指指先部位１７、着用者の示指１３のうちの末節骨が延びる示指指先部位１８、着用者の長指１４のうちの末節骨が延びる長指指先部位１９、着用者の薬指１５のうちの末節骨が延びる薬指指先部位２０、着用者の小指１６のうちの末節骨が延びる小指指先部位２１がある。手袋１１の五指包被部２２〜２６には、着用者が手袋１１を着用したときに、着用者の母指１２を包被する母指包被部２２、着用者の示指１３を包被する示指包被部２３、着用者の長指１４を包被する長指包被部２４、着用者の薬指１５を包被する薬指包被部２５、着用者の小指１６を包被する小指包被部２６がある。
【００３０】
手袋１１の各指先端部分２７〜３１には、着用者が手袋１１を着用したときに、着用者の母指指先部位１７を包被する母指包被部２２の母指先端部分２７、着用者の示指指先部位１８を包被する示指包被部２３の示指先端部分２８、着用者の長指指先部位１９を包被する長指包被部２４の長指先端部分２９、着用者の薬指指先部位２０を包被する薬指包被部２５の薬指先端部分３０、着用者の小指指先部位２１を包被する小指包被部２６の小指先端部分３１がある。
【００３１】
それら殻部材３２は、着用者の母指１２の母指指先部位１７を覆う１個の第１殻部材３２ａと、着用者の示指１３の示指指先部位１８、長指１４の長指指先部位１９、薬指１５の薬指指先部位２０を覆う３個の第２殻部材３２ｂと、着用者の小指１６の小指指先部位２１を覆う１個の第３殻部材３２ｃとから形成されている。第１〜第３殻部材３２ａ〜３２ｃは、プラスチックまたはアルミニウムやアルミニウム複合材料（軽量な金属）から作られている。
【００３２】
第１殻部材３２ａは、それが手袋１１の母指包被部２２（五指包被部）の母指先端部分２７（指先端部分）の内側に挿脱可能に挿入され、手袋１１の母指先端部分２７に挿入された状態において、着用者の母指指先部位１７を覆う。第１殻部材３２ａは、その大きさが第２および第３殻部材３２ｂ，３２ｃのそれよりも大きく、それら殻部材３２ａ〜３２ｃの中で１番大きい。
【００３３】
第１殻部材３２ａは、着用者の母指指先部位１７を挿脱可能な円形の開口部３３と、開口部３３から前方（第１殻部材３２ａの軸方向前方）に延びる被覆部３４とを有する。被覆部３４は、開口部３３から前方へ向かって凸となるように弧を描き、所定の曲率半径で湾曲している。被覆部３４は、母指指先部位１７のうちの指の甲全域および指の腹全域を包被する。第１殻部材３２ａは、それが手袋１１の母指先端部分２７に挿入されると、母指先端部分２７によって径方向内方へ押圧され、母指先端部分２７の内側（内面）に遊動不能に密着する。
【００３４】
第２殻部材３２ｂは、それらが手袋１１の示指包被部２３（五指包被部）の示指先端部分２８（指先端部分）や長指包被部２４（五指包被部）の長指先端部分２９（指先端部分）、薬指包被部２５（五指包被部）の薬指先端部分３０（指先端部分）の内側に挿脱可能に挿入され、手袋１１の示指先端部分２８や長指先端部分２９、薬指先端部分３０に挿入された状態において、着用者の示指指先部位１８や長指指先部位１９、薬指指先部位２０を覆う。第２殻部材３２ｂは、その大きさが第１殻部材３２ａのそれよりも小さく、第３殻部材３２ｃのそれよりも大きく、それら殻部材３２ａ〜３２ｃの中で２番目に大きい。
【００３５】
それら第２殻部材３２ｂは、着用者の示指指先部位１８や長指指先部位１９、薬指指先部位２０を挿脱可能な円形の開口部３３と、開口部３３から前方（第２殻部材３２ｂの軸方向前方）に延びる被覆部３４とを有する。被覆部３４は、開口部３１から前方へ向かって凸となるように弧描き、所定の曲率半径で湾曲している。被覆部３４は、示指指先部位１８や長指指先部位１９、薬指指先部位２０のうちの指の甲全域および指の腹全域を包被する。
【００３６】
第２殻部材３２ｂは、それが手袋１１の示指先端部分２８に挿入されると、示指先端部分２８によって径方向内方へ押圧され、示指先端部分２８の内側（内面）に遊動不能に密着し、それが手袋１１の長指先端部分２９に挿入されると、長指先端部分２９によって径方向内方へ押圧され、長指先端部分２９の内側（内面）に遊動不能に密着するとともに、それが手袋１１の薬指先端部分３０に挿入されると、薬指先端部分３０によって径方向内方へ押圧され、薬指先端部分３０の内側（内面）に遊動不能に密着する。
【００３７】
第３殻部材３２ｃは、それが手袋１１の小指包被部２６（五指包被部）の小指先端部分３１（指先端部分）の内側に挿脱可能に挿入され、手袋１１の小指先端部分３１に挿入された状態において、着用者の小指指先部位２１を覆う。第３殻部材３２ｃは、その大きさが第１および第２殻部材３２ａ，３２ｂのそれよりも小さく、それら殻部材３２ａ〜３２ｃの中で１番小さい。なお、殻部材３２は、全てのそれらが同一の大きさであってもよい。
【００３８】
第３殻部材３２ｃは、着用者の小指指先部位２１を挿脱可能な円形の開口部３３と、開口部３３から前方（第３殻部材３２ｃの軸方向前方）に延びる被覆部３４とを有する。被覆部３４は、開口部３３から前方へ向かって凸となるように弧描き、所定の曲率半径で湾曲している。被覆部３４は、小指指先部位２１のうちの指の甲全域および指の腹全域を包被する。第３殻部材３２ｃは、それが手袋１１の小指先端部分３１に挿入されると、小指先端部分３１によって径方向内方へ押圧され、小指先端部分３１の内側（内面）に遊動不能に密着する。
【００３９】
第１〜第３殻部材３２ａ〜３２ｃの被覆部３４の内面には、ポリウレタンシート、塩化ビニル樹脂シート、ＥＶＡ樹脂シート、繊維不織布等の柔軟なシート材３５（クッション材）が接着剤によって取り付けられている（貼付されている）。なお、第１〜第３殻部材３２ａ〜３２ｃの被覆部３４の内面にシート材３５が取り付けられていなくてもよい。
【００４０】
手袋用指先保護具１０Ａを使用する場合、手袋１１の開口３６から第１殻部材３２ａを手袋１１内部に入れた後、第１殻部材３２ａを手袋１１の母指包被部２２に挿入し、第１殻部材３２ａを母指包被部２２の母指先端部分２７に向かって押し込む。手袋１１の開口３６からそれら第２殻部材３２ｂを手袋１１内部に入れた後、第２殻部材３２ｂを手袋１１の示指包被部２３や長指包被部２４、薬指包被部２５に挿入し、第２殻部材３２ｂを示指包被部２３の示指先端部分２８や長指包被部２４の長指先端部分２９、薬指包被部２５の薬指先端部分３０に向かって押し込む。さらに、手袋１１の開口３６から第３殻部材３２ｃを手袋１１内部に入れた後、第３殻部材３２ｃを手袋１１の小指包被部２６に挿入し、第３殻部材３２ｃを小指包被部２６の小指先端部分３１に向かって押し込む。
【００４１】
第１〜第３殻部材３２ａ〜３２ｃを手袋１１の各指先端部分２７〜３１に挿入した図２の状態において、着用者が手３７（右手）を手袋１１の開口３６から手袋１１内部に挿入し、母指１２を手袋１１の母指包被部２２に挿入しつつ、母指指先部位１７を手袋１１の母指先端部分２７に挿入する。示指１３を手袋１１の示指包被部２３に挿入しつつ、示指指先部位１８を手袋１１の示指先端部分２８に挿入し、長指１４を手袋１１の長指包被部２４に挿入しつつ、長指指先部位１９を手袋１１の長指先端部分２９に挿入するとともに、薬指１５を手袋１１の薬指包被部２５に挿入しつつ、薬指指先部位２０を手袋１１の薬指先端部分３０に挿入する。小指１６を手袋１１の小指包被部２６に挿入しつつ、小指指先部位２１を手袋１１の小指先端部分３１に挿入する。
【００４２】
図４に示すように、着用者が母指指先部位１７を手袋１１の母指先端部分２７に挿入すると、母指指先部位１７が第１殻部材３２ａの内部に進入し、母指指先部位１７の指の甲全域および指の腹全域が第１殻部材３２ａの被覆部３４に包皮され、着用者が示指指先部位１８を手袋１１の示指先端部分２８に挿入すると、示指指先部位１８が第２殻部材３２ｂの内部に進入し、示指指先部位１８の指の甲全域および指の腹全域が第２殻部材３２ｂの被覆部３４に包皮される。
【００４３】
着用者が長指指先部位１９を手袋１１の長指先端部分２９に挿入すると、長指指先部位１９が第２殻部材３２ｂの内部に進入し、長指指先部位１９の指の甲全域および指の腹全域が第２殻部材３２ｂの被覆部３４に包皮され、着用者が薬指指先部位２０を手袋１１の薬指先端部分３０に挿入すると、薬指指先部位２０が第２殻部材３２ｂの内部に進入し、薬指指先部位２０の指の甲全域および指の腹全域が第２殻部材３２ｂの被覆部３４に包皮される。着用者が小指指先部位２１を手袋１１の小指先端部分３１に挿入すると、小指指先部位２１が第３殻部材３２ｃの内部に進入し、小指指先部位２１の指の甲全域および指の腹全域が第３殻部材３２ｃの被覆部３４に包皮される。
【００４４】
第１〜第３殻部材３２ａ〜３２ｃを挿入（装着）した手袋１１を着用した着用者が所定の作業中に、手袋１１の母指先端部分２７に衝撃が加えられた場合、第１殻部材３２ａの被覆部３４がその衝撃を吸収・緩和し、着用者の母指指先部位１７をその衝撃から保護し、手袋１１の示指先端部分２８に衝撃が加えられた場合、第２殻部材３２ｂの被覆部３４がその衝撃を吸収・緩和し、着用者の示指指先部位１８をその衝撃から保護する。手袋１１の長指先端部分２９に衝撃が加えられた場合、第２殻部材３２ｂの被覆部３４がその衝撃を吸収・緩和し、着用者の長指指先部位１９をその衝撃から保護し、手袋１１の薬指先端部分３０に衝撃が加えられた場合、第２殻部材３２ｂの被覆部３４がその衝撃を吸収・緩和し、着用者の薬指指先部位２０をその衝撃から保護するとともに、手袋１１の小指先端部分３１に衝撃が加えられた場合、第３殻部材３２ｃの被覆部３４がその衝撃を吸収・緩和し、着用者の小指指先部位２１をその衝撃から保護する。
【００４５】
第１〜第３殻部材３２ａ〜３２ｃを使用する必要がなく、手袋１１のみを利用して作業を行う場合、第１〜第３殻部材３２ａ〜３２ｃが既に手袋１１に挿入されている場合は、それら殻部材３２ａ〜３２ｃを手袋１１の各指先端部分２７〜３１から手袋１１の開口３６に向かって押し出し、それら殻部材３２ａ〜３２ｃを手袋１１から抜き取る。また、五指（母指１２、示指１３、長指１４、薬指１５、小指１６）全てを保護する必要がなく、特定の指の指先端部分１７〜２１を保護する場合、その指が挿入される手袋１１の指先端部分２７〜３１に第１〜第３殻部材３２ａ〜３２ｃのいずれかを挿入すればよい。
【００４６】
手袋用指先保護具１０Ａは、着用者の各指先部位１７〜２１を覆う所定硬度の複数の第１〜第３殻部材３２ａ〜３２ｃから形成され、それら殻部材３２ａ〜３２ｃが手袋１１の各包被部２２〜２６（五指包被部）の各指先端部分２７〜３１の内側（内面）に挿脱可能に挿入されるから、各種複数の手袋１１の各包被部２２〜２６のそれら指先端部分２７〜３１に挿脱可能に取り付けることができ、手袋１１の包被部２２〜２６の各指先端部分２７〜３１を強化して着用者の各指先部位１７〜２１を衝撃から保護する保護形態と手袋１１をそのまま使用する通常形態との両使用形態に対応することができる。
【００４７】
手袋用指先保護具１０Ａは、第１〜第３殻部材３２ａ〜３２ｃが着用者の各指１２〜１６の指先部位１７〜２１の大きさに合致し、所定硬度の第１〜第３殻部材３２ａ〜３２ｃの被覆部３４が着用者の母指１２、示指１３、長指１４、薬指１５、小指１６のうちの末節骨が延びる各指先部位１７〜２１の全域を覆うから、手袋１１の各指先端部分２７〜３１に衝撃が加えられたとしても、その衝撃をそれら殻部材３２ａ〜３２ｃの被覆部３４が吸収・緩和し、着用者の指先部位１７〜２１をその衝撃から保護することができ、危険な作業を行う場合の各指先部位１７〜２１の怪我を未然に防ぐことができる。
【００４８】
手袋用指先保護具１０Ａは、第１〜第３殻部材３２ａ〜３２ｃの被覆部３４が手袋１１の各指先端部分２７〜３１の内側（内面）に遊動不能に密着するから、手袋１１の着用中にそれら殻部材３２ａ〜３２ｃが各指先端部分２７〜３１においてずれ動くことはなく、それら殻部材３２ａ〜３２ｃが各指先端部分２７〜３１においてずれ動くことによる手袋１１の作業性の低下を防ぐことができる。手袋用指先保護具１０Ａは、第１〜第３殻部材３２ａ〜３２ｃの被覆部３４の内面に柔軟なシート材３５が取り付けられているから、着用者の各指先部位１７〜２１がそれら殻部材３２ａ〜３２ｃの被覆部３４の内面に当接したときの触感が向上するとともに、それら殻部材３２ａ〜３２ｃの被覆部３４の内面にクッション性を付与することができ、殻部材３２ａ〜３２ｃの保護機能を向上させることができる。第１〜第３殻部材３２ａ〜３２ｃがプラスチックまたは軽量な金属から作られているから、手袋１１の各指先端部分２７〜３１の重量が必要以上に増加することはなく、手袋１１の各指先端部分２７〜３１の重量が増加することによる手袋１１の作業性の低下を防ぐことができる。
【００４９】
図５は、他の一例として示す手袋用指先保護具１０Ｂの斜視図であり、図６は、図５の手袋用指先保護具１０Ｂを装着した手袋１１の部分破断斜視図である。図７は、図６のＢ−Ｂ線矢視断面図であり、図８は、手袋用指先保護具１０Ｂに包被された着用者の手３７（右手）の斜視図である。図６は、手袋１１を掌の側から示す。図６では、右手用の手袋１１のみを図示し、左手用の手袋の図示を省略している。図７は、一部を省略した手袋１１を二点鎖線で示す。図８では、手袋１１の図示を省略し、着用者の右手のみを図示し、着用者の左手の図示を省略している。手袋用指先保護具１０Ｂは、右手用の手袋１１のみならず、左手用の手袋に装着されることはいうまでもなく、着用者の左手の各指先部位１７〜２１の保護にも使用される。
【００５０】
手袋用指先保護具１０Ｂは、手袋１１を着用した着用者の母指１２、示指１３、長指１４、薬指１５、小指１６のうちの末節骨が延びる各指先部位１７〜２１を衝撃から保護し、着用者の各指先部位１７〜２１の怪我を防止する。手袋用指先保護具１０Ｂは、手袋１１の五指包被部２２〜２６の各指先端部分２７〜３１の内側に挿脱可能に挿入される複数の殻部材３８から形成されている。
【００５１】
それら殻部材３８は、着用者の母指１２の母指指先部位１７を覆う１個の第１殻部材３８ａと、着用者の示指１３の示指指先部位１８、長指１４の長指指先部位１９、薬指１５の薬指指先部位２０を覆う３個の第２殻部材３８ｂと、着用者の小指１６の小指指先部位２１を覆う１個の第３殻部材３８ｃとから形成されている。第１〜第３殻部材３８ａ〜３８ｃは、プラスチックまたはアルミニウムやアルミニウム複合材料（軽量な金属）から作られている。
【００５２】
第１殻部材３８ａは、それが手袋１１の母指包被部２２の母指先端部分２７の内側に挿脱可能に挿入され、手袋１１の母指先端部分２７に挿入された状態において、着用者の母指指先部位１７を覆う。第１殻部材３８ａは、その大きさが第２および第３殻部材３８ｂ，３８ｃのそれよりも大きく、それら殻部材３８ａ〜３８ｃの中で１番大きい。
【００５３】
第１殻部材３８ａは、着用者の母指指先部位１７を挿脱可能であって母指指先部位１７の指の腹を露出させる開口部３９と、開口部３９から前方（第１殻部材３８ａの軸方向前方）に延びる被覆部４０とを有する。被覆部４０は、指の腹から指の甲に向かって凸となるように弧を描き、所定の曲率半径で湾曲している。被覆部４０は、母指指先部位１７のうちの指の甲全域および指の腹側面を包被する。第１殻部材３８ａは、それが手袋１１の母指先端部分２７に挿入されると、母指先端部分２７によって径方向内方へ押圧され、母指先端部分２７の内側（内面）に遊動不能に密着する。
【００５４】
第２殻部材３８ｂは、それらが手袋１１の示指包被部２３の示指先端部分２８や長指包被部２４の長指先端部分２９、薬指包被部２５の薬指先端部分３０の内側に挿脱可能に挿入され、手袋１１の示指先端部分２８や長指先端部分２９、薬指先端部分３０に挿入された状態において、着用者の示指指先部位１８や長指指先部位１９、薬指指先部位２０を覆う。第２殻部材３８ｂは、その大きさが第１殻部材３８ａのそれよりも小さく、第３殻部材３８ｃのそれよりも大きく、それら殻部材３８ａ〜３８ｃの中で２番目に大きい。
【００５５】
それら第２殻部材３８ｂは、着用者の示指指先部位１８や長指指先部位１９、薬指指先部位２０を挿脱可能であって示指指先部位１８や長指指先部位１９、薬指指先部位２０の指の腹を露出させる開口部３９と、開口部３９から前方（第２殻部材３８ｂの軸方向前方）に延びる被覆部４０とを有する。被覆部４０は、指の腹から指の甲に向かって凸となるように弧を描き、所定の曲率半径で湾曲している。被覆部４０は、示指指先部位１８や長指指先部位１９、薬指指先部位２０のうちの指の甲全域および指の腹側面を包被する。
【００５６】
第２殻部材３８ｂは、それが手袋１１の示指先端部分２８に挿入されると、示指先端部分２８によって径方向内方へ押圧され、示指先端部分２８の内側（内面）に遊動不能に密着し、それが手袋１１の長指先端部分２９に挿入されると、長指先端部分２９によって径方向内方へ押圧され、長指先端部分２９の内側（内面）に遊動不能に密着するとともに、それが手袋１１の薬指先端部分３０に挿入されると、薬指先端部分３０によって径方向内方へ押圧され、薬指先端部分３０の内側（内面）に遊動不能に密着する。
【００５７】
第３殻部材３８ｃは、それが手袋１１の小指包被部２６の小指先端部分３１の内側に挿脱可能に挿入され、手袋１１の小指先端部分３１に挿入された状態において、着用者の小指指先部位２１を覆う。第３殻部材３８ｃは、その大きさが第１および第２殻部材３８ａ，３８ｂのそれよりも小さく、それら殻部材３８ａ〜３８ｃの中で１番小さい。なお、殻部材３８は、全てのそれらが同一の大きさであってもよい。
【００５８】
第３殻部材３８ｃは、着用者の小指指先部位２１を挿脱可能であって小指指先部位２１の指の腹を露出させる開口部３９と、開口部３９から前方（第３殻部材３８ｃの軸方向前方）に延びる被覆部４０とを有する。被覆部４０は、指の腹から指の甲に向かって凸となるように弧を描き、所定の曲率半径で湾曲している。被覆部４０は、小指指先部位２１のうちの指の甲全域および指の腹側面を包被する。第３殻部材３８ｃは、それが手袋１１の小指先端部分３１に挿入されると、小指先端部分３１によって径方向内方へ押圧され、小指先端部分３１の内側（内面）に遊動不能に密着する。
【００５９】
第１〜第３殻部材３８ａ〜３８ｃの被覆部４０の内面には、ポリウレタンシート、塩化ビニル樹脂シート、ＥＶＡ樹脂シート、繊維不織布等の柔軟なシート材３５（クッション材）が接着剤によって取り付けられている（貼付されている）。なお、第１〜第３殻部材３８ａ〜３８ｃの被覆部４０の内面にシート材３５が取り付けられていなくてもよい。
【００６０】
手袋用指先保護具１０Ｂを使用する場合、手袋１１の開口３６から第１殻部材３８ａを手袋１１内部に入れた後、第１殻部材３８ａを手袋１１の母指包被部２２に挿入し、第１殻部材３８ａを母指包被部２２の母指先端部分２７に向かって押し込む。手袋１１の開口３６からそれら第２殻部材３８ｂを手袋１１内部に入れた後、第２殻部材３８ｂを手袋１１の示指包被部２３や長指包被部２４、薬指包被部２５に挿入し、第２殻部材３８ｂを示指包被部２３の示指先端部分２８や長指包被部２４の長指先端部分２９、薬指包被部２５の薬指先端部分３０に向かって押し込む。さらに、手袋１１の開口３６から第３殻部材３８ｃを手袋１１内部に入れた後、第３殻部材３８ｃを手袋１１の小指包被部２６に挿入し、第３殻部材３８ｃを小指包被部２６の小指先端部分３１に向かって押し込む。
【００６１】
第１〜第３殻部材３８ａ〜３８ｃを手袋１１の各指先端部分２７〜３１に挿入した図６の状態において、着用者が手３７（右手）を手袋１１の開口３６から手袋１１内部に挿入し、母指１２を手袋１１の母指包被部２２に挿入しつつ、母指指先部位１７を手袋１１の母指先端部分２７に挿入する。示指１３を手袋１１の示指包被部２３に挿入しつつ、示指指先部位１８を手袋１１の示指先端部分２８に挿入し、長指１４を手袋１１の長指包被部２４に挿入しつつ、長指指先部位１９を手袋１１の長指先端部分２９に挿入するとともに、薬指１５を手袋１１の薬指包被部２５に挿入しつつ、薬指指先部位２０を手袋１１の薬指先端部分３０に挿入する。小指１６を手袋１１の小指包被部２６に挿入しつつ、小指指先部位２１を手袋１１の小指先端部分３１に挿入する。
【００６２】
図８に示すように、着用者が母指指先部位１７を手袋１１の母指先端部分２７に挿入すると、母指指先部位１７が第１殻部材３８ａの内部に進入し、母指指先部位１７の指の甲全域および指の腹側面が第１殻部材３８ａの被覆部４０に包皮され、母指指先部位１７の指の腹が開口部３９から露出する。着用者が示指指先部位１８を手袋１１の示指先端部分２８に挿入すると、示指指先部位１８が第２殻部材３８ｂの内部に進入し、示指指先部位１８の指の甲全域および指の腹側面が第２殻部材３２ｂの被覆部４０に包皮され、示指指先部位１８の指の腹が開口部３９から露出する。
【００６３】
着用者が長指指先部位１９を手袋１１の長指先端部分２９に挿入すると、長指指先部位１９が第２殻部材３８ｂの内部に進入し、長指指先部位１９の指の甲全域および指の腹側面が第２殻部材３８ｂの被覆部４０に包皮され、長指指先部位１９の指の腹が開口部３９から露出する。着用者が薬指指先部位２０を手袋１１の薬指先端部分３０に挿入すると、薬指指先部位２０が第２殻部材３８ｂの内部に進入し、薬指指先部位２０の指の甲全域および指の腹側面が第２殻部材３８ｂの被覆部４０に包皮され、薬指指先部位２０の指の腹が開口部３９から露出する。着用者が小指指先部位２１を手袋１１の小指先端部分３１に挿入すると、小指指先部位２１が第３殻部材３２ｃの内部に進入し、小指指先部位２１の指の甲全域および指の腹側面が第３殻部材３２ｃの被覆部４０に包皮され、小指指先部位２１の指の腹が開口部３９から露出する。
【００６４】
第１〜第３殻部材３８ａ〜３８ｃを挿入（装着）した手袋１１を着用した着用者が所定の作業中に、手袋１１の母指先端部分２７に衝撃が加えられた場合、第１殻部材３８ａの被覆部４０がその衝撃を吸収・緩和し、着用者の母指指先部位１７をその衝撃から保護し、手袋１１の示指先端部分２８に衝撃が加えられた場合、第２殻部材３８ｂの被覆部４０がその衝撃を吸収・緩和し、着用者の示指指先部位１８をその衝撃から保護する。手袋１１の長指先端部分２９に衝撃が加えられた場合、第２殻部材３８ｂの被覆部４０がその衝撃を吸収・緩和し、着用者の長指指先部位１９をその衝撃から保護し、手袋１１の薬指先端部分３０に衝撃が加えられた場合、第２殻部材３８ｂの被覆部４０がその衝撃を吸収・緩和し、着用者の薬指指先部位２０をその衝撃から保護するとともに、手袋１１の小指先端部分３１に衝撃が加えられた場合、第３殻部材３８ｃの被覆部４０がその衝撃を吸収・緩和し、着用者の小指指先部位２１をその衝撃から保護する。
【００６５】
第１〜第３殻部材３８ａ〜３８ｃを使用する必要がなく、手袋１１のみを利用して作業を行う場合、第１〜第３殻部材３８ａ〜３８ｃが既に手袋１１に挿入されている場合は、それら殻部材３８ａ〜３８ｃを手袋１１の各指先端部分２７〜３１から手袋１１の開口３６に向かって押し出し、それら殻部材３８ａ〜３８ｃを手袋１１から抜き取る。また、五指全てを保護する必要がなく、特定の指の指先端部分１７〜２１を保護する場合、その指が挿入される手袋１１の指先端部分２７〜３１に第１〜第３殻部材３８ａ〜３８ｃのいずれかを挿入すればよい。
【００６６】
手袋用指先保護具１０Ｂは、着用者の各指先部位１７〜２１を覆う所定硬度の複数の第１〜第３殻部材３８ａ〜３８ｃから形成され、それら殻部材３８ａ〜３８ｃが手袋１１の各包被部２２〜２６（五指包被部）の各指先端部分２７〜３１の内側（内面）に挿脱可能に挿入されるから、各種複数の手袋１１の各包被部２２〜２６のそれら指先端部分２７〜３１に挿脱可能に取り付けることができ、手袋１１の包被部２２〜２６の各指先端部分２７〜３１を強化して着用者の各指先部位１７〜２１を衝撃から保護する保護形態と手袋１１をそのまま使用する通常形態との両使用形態に対応することができる。
【００６７】
手袋用指先保護具１０Ｂは、第１〜第３殻部材３８ａ〜３８ｃが着用者の各指１２〜１６の指先部位１７〜２１の大きさに合致し、所定硬度の第１〜第３殻部材３８ａ〜３８ｃの被覆部４０が着用者の母指１２、示指１３、長指１４、薬指１５、小指１６のうちの末節骨が延びる各指先部位１７〜２１の指の甲全域および指の腹側面を覆うから、手袋１１の各指先端部分２７〜３１に衝撃が加えられたとしても、その衝撃をそれら殻部材３８ａ〜３８ｃの被覆部４０が吸収・緩和し、着用者の指先部位１７〜２１をその衝撃から保護することができ、危険な作業を行う場合の各指先部位１７〜２１の怪我を未然に防ぐことができる。
【００６８】
手袋用指先保護具１０Ｂは、着用者の指の腹がそれら殻部材３８ａ〜３８ｃの開口部３９から露出するから、着用者の各指先部位２７〜３１の触覚が失われることはなく、手袋１１の着用が必要な作業の作業性を向上させることができる。手袋用指先保護具１０Ｂは、第１〜第３殻部材３８ａ〜３８ｃの被覆部４０が手袋１１の各指先端部分２７〜３１の内側（内面）に遊動不能に密着するから、手袋１１の着用中にそれら殻部材３８ａ〜３８ｃが各指先端部分２７〜３１においてずれ動くことはなく、それら殻部材３８ａ〜３８ｃが各指先端部分２７〜３１においてずれ動くことによる手袋１１の作業性の低下を防ぐことができるとともに、手袋１１の着用中において指の甲全域および指の腹側面の被覆部４０による被覆状態が維持され、着用者の指の甲全域および指の腹側面を確実に保護することができる。
【００６９】
手袋用指先保護具１０Ｂは、第１〜第３殻部材３８ａ〜３８ｃの被覆部４０の内面に柔軟なシート材３５が取り付けられているから、着用者の各指先部位１７〜２１がそれら殻部材３８ａ〜３８ｃの被覆部４０の内面に当接したときの触感が向上するとともに、それら殻部材３８ａ〜３８ｃの被覆部４０の内面にクッション性を付与することができ、殻部材３８ａ〜３８ｃの保護機能を向上させることができる。第１〜第３殻部材３８ａ〜３８ｃがプラスチックまたは軽量な金属から作られているから、手袋１１の各指先端部分２７〜３１の重量が必要以上に増加することはなく、手袋１１の各指先端部分２７〜３１の重量が増加することによる手袋１１の作業性の低下を防ぐことができる。
【００７０】
手袋用指先保護具１０Ａや手袋用指先保護具１０Ｂは、着用者の母指１２、示指１３、長指１４、薬指１５、小指１６を包被する五指包被部２２〜２６（母指包被部２２、示指包被部２３、長指包被部２４、薬指包被部２５、小指包被部２６）を有する手袋であれば、どのような形状の手袋にも使用することができる。また、手袋の材質についても特に制限はない。
【００７１】
一例として示す手袋５０Ａの部分破断斜視図である図９等の添付の図面を参照し、本発明にかかる手袋の詳細を説明すると、以下のとおりである。図１０は、掌の側から示す図９の手袋５０Ａの部分破断斜視図である。図９は、手袋５０Ａを手の甲の側から示す。図９では、右手用の手袋５０Ａのみを図示し、左手用の手袋の図示を省略しているが、手袋５０Ａは、右手用のそれのみならず、右手用のそれと同様の仕様の左手用のそれも存在する。
【００７２】
手袋５０Ａは、着用者の手首を包被する手首包被部５１、着用者の手の甲および掌を包被する手包被部５２、着用者の母指１２、示指１３、長指１４、薬指１５、小指１６を包被する五指包被部５３〜５７（着用者の母指１２を包被する母指包被部５３、着用者の示指１３を包被する示指包被部５４、着用者の長指１４を包被する長指包被部５５、着用者の薬指１５を包被する薬指包被部５６、着用者の小指１６を包被する小指包被部５７）を有する。手袋５０Ａ（手袋５０Ｂを含む）は、着用者の母指、示指、長指、薬指、小指を包被する五指包被部を有する形状であれば、その形状に特に制限はなく、その材質についても特に制限はない。
【００７３】
手袋１０Ａは、それを着用した着用者の母指１２、示指１３、長指１４、薬指１５、小指１６のうちの末節骨が延びる各指先部位１７〜２１を衝撃から保護し、着用者の各指先部位１７〜２１の怪我を防止する。手袋５０Ａは、五指包被部５３〜５７の各指先端部分５８〜６２（着用者の母指指先部位１７を包被する母指先端部分５８、着用者の示指指先部位１８を包被する示指先端部分５９、着用者の長指指先部位１９を包被する長指先端部分６０、着用者の薬指指先部位２０を包被する薬指先端部分６１、着用者の小指指先部位２１を包被する小指先端部分６２）の内側に配置されて着用者の各指先部位１７〜２１を覆う所定硬度の複数の殻部材３２を有する。
【００７４】
それら殻部材３２は、着用者の母指１２の母指指先部位１７の指の甲全域および指の腹全域を覆う１個の第１殻部材３２ａと、着用者の示指１３の示指指先部位１８、長指１４の長指指先部位１９、薬指１５の薬指指先部位２０の指の甲全域および指の腹全域を覆う３個の第２殻部材３２ｂと、着用者の小指１６の小指指先部位２１の指の甲全域および指の腹全域を覆う１個の第３殻部材３２ｃとから形成されている。第１〜第３殻部材３２ａ〜３２ｃは図１のそれらと同一であるから、図１と同一の符号を付すとともに、図１〜図４の説明を援用することで、第１〜第３殻部材３２ａ〜３２ｃの詳細な説明は省略する。
【００７５】
第１殻部材３２ａは、円形の開口部３３と指の甲全域および指の腹全域を包被する被覆部３４とを有し、手袋５０Ａの母指包被部５３の母指先端部分５８の内側（内面）に接着剤によって固定されている。第２殻部材３２ｂは、円形の開口部３３と指の甲全域および指の腹全域を包被する被覆部３４とを有し、手袋５０Ａの示指包被部５４の示指先端部分５９や長指包被部５５の長指先端部分６０、薬指包被部５６の薬指先端部分６１の内側（内面）に接着剤によって固定されている。第３殻部材３２ｃは、円形の開口部３３と指の甲全域および指の腹全域を包被する被覆部３４とを有し、手袋５０Ａの小指包被部５７の小指先端部分６２の内側（内面）に接着剤によって固定されている。
【００７６】
第１〜第３殻部材３２ａ〜３２ｃの被覆部３４の内面には、ポリウレタンシート、塩化ビニル樹脂シート、ＥＶＡ樹脂シート、繊維不織布等の柔軟なシート材３５（クッション材）が接着剤によって取り付けられている（貼付されている）。なお、第１〜第３殻部材３２ａ〜３２ｃの被覆部３４の内面にシート材３５が取り付けられていなくてもよい。
【００７７】
手袋５０Ａを着用するには、着用者が手３７（右手）を手袋５０Ａの開口６３から手袋５０Ａ内部に挿入し、母指１２を母指包被部５３に挿入しつつ、母指指先部位１７を母指先端部分５８に挿入する。示指１３を示指包被部５４に挿入しつつ、示指指先部位１８を示指先端部分５９に挿入し、長指１４を長指包被部５５に挿入しつつ、長指指先部位１９を長指先端部分６０に挿入するとともに、薬指１５を薬指包被部５６に挿入しつつ、薬指指先部位２０を薬指先端部分６１に挿入する。小指１６を小指包被部５７に挿入しつつ、小指指先部位２１を小指先端部分６２に挿入する。
【００７８】
着用者が母指指先部位１７を手袋５０Ａの母指先端部分５８に挿入すると、母指指先部位１７が第１殻部材３２ａの内部に進入し、母指指先部位１７の指の甲全域および指の腹全域が第１殻部材３２ａの被覆部３４に包皮され、着用者が示指指先部位１８を手袋５０Ａの示指先端部分５９に挿入すると、示指指先部位１８が第２殻部材３２ｂの内部に進入し、示指指先部位１８の指の甲全域および指の腹全域が第２殻部材３２ｂの被覆部３４に包皮される。
【００７９】
着用者が長指指先部位１９を手袋５０Ａの長指先端部分６０に挿入すると、長指指先部位１９が第２殻部材３２ｂの内部に進入し、長指指先部位１９の指の甲全域および指の腹全域が第２殻部材３２ｂの被覆部３４に包皮され、着用者が薬指指先部位２０を手袋５０Ａの薬指先端部分６１に挿入すると、薬指指先部位２０が第２殻部材３２ｂの内部に進入し、薬指指先部位２０の指の甲全域および指の腹全域が第２殻部材３２ｂの被覆部３４に包皮される。着用者が小指指先部位２１を手袋５０Ａの小指先端部分６２に挿入すると、小指指先部位２１が第３殻部材３２ｃの内部に進入し、小指指先部位２１の指の甲全域および指の腹全域が第３殻部材３２ｃの被覆部３４に包皮される（図４援用）。
【００８０】
第１〜第３殻部材３２ａ〜３２ｃが取り付けられた手袋５０Ａを着用した着用者が所定の作業中に、手袋５０Ａの母指先端部分５８に衝撃が加えられた場合、第１殻部材３２ａの被覆部３４がその衝撃を吸収・緩和し、着用者の母指指先部位１７をその衝撃から保護し、手袋５０Ａの示指先端部分５９に衝撃が加えられた場合、第２殻部材３２ｂの被覆部３４がその衝撃を吸収・緩和し、着用者の示指指先部位１８をその衝撃から保護する。手袋５０Ａの長指先端部分６０に衝撃が加えられた場合、第２殻部材３２ｂの被覆部３４がその衝撃を吸収・緩和し、着用者の長指指先部位１９をその衝撃から保護し、手袋５０Ａの薬指先端部分６１に衝撃が加えられた場合、第２殻部材３２ｂの被覆部３４がその衝撃を吸収・緩和し、着用者の薬指指先部位２０をその衝撃から保護するとともに、手袋１１の小指先端部分６２に衝撃が加えられた場合、第３殻部材３２ｃの被覆部３４がその衝撃を吸収・緩和し、着用者の小指指先部位２１をその衝撃から保護する。
【００８１】
手袋５０Ａは、着用者の各指先部位１７〜２１を覆う所定硬度の第１〜第３殻部材３２ａ〜３２ｃが手袋５０Ａの各指先端部分５８〜６２の内側に固定され、第１〜第３殻部材３２ａ〜３２ｃが着用者の各指１２〜１６の指先部位１７〜２１の大きさに合致し、それら殻部材３２ａ〜３２ｃの被覆部３４が着用者の母指１２、示指１３、長指１４、薬指１５、小指１６のうちの各指先部位１７〜２１の全域を覆うから、手袋５０Ａの着用中に各指先端部分５８〜６２に衝撃が加えられたとしても、その衝撃をそれら殻部材３２ａ〜３２ｃの被覆部３４が吸収・緩和し、着用者の指先部位１７〜２１をその衝撃から確実に保護することができ、危険な作業を行う場合の各指先部位１７〜２１の怪我を未然に防ぐことができる。
【００８２】
手袋５０Ａは、第１〜第３殻部材３２ａ〜３２ｃの被覆部３４が各指先端部分５８〜６２の内側（内面）に固定されているから、手袋５０Ａの着用中にそれら殻部材３２ａ〜３２ｃが各指先端部分５８〜６２においてずれ動くことはなく、それら殻部材３２ａ〜３２ｃが各指先端部分５８〜６２においてずれ動くことによる手袋５０Ａの作業性の低下を防ぐことができる。手袋５０Ａは、第１〜第３殻部材３２ａ〜３２ｃの被覆部３４の内面に柔軟なシート材３５が取り付けられているから、着用者の各指先部位１７〜２１がそれら殻部材３２ａ〜３２ｃの被覆部３４の内面に当接したときの触感が向上するとともに、それら殻部材３２ａ〜３２ｃの被覆部３４の内面にクッション性を付与することができ、殻部材３２ａ〜３２ｃの保護機能を向上させることができる。第１〜第３殻部材３２ａ〜３２ｃがプラスチックまたは軽量な金属から作られているから、手袋５０Ａの各指先端部分５８〜６２の重量が必要以上に増加することはなく、手袋５０Ａの各指先端部分５８〜６２の重量が増加することによる手袋５０Ａの作業性の低下を防ぐことができる。
【００８３】
図１１は、他の一例として示す手袋５０Ｂの部分破断斜視図であり、図１２は、掌の側から示す図１１の手袋５０Ｂの部分破断斜視図である。図１１は、手袋５０Ｂを手の甲の側から示す。図１１では、右手用の手袋５０Ｂのみを図示し、左手用の手袋の図示を省略しているが、手袋５０Ｂは、右手用のそれのみならず、右手用のそれと同様の仕様の左手用のそれも存在する。
【００８４】
手袋５０Ｂは、手袋１０Ａと同様に、着用者の手首を包被する手首包被部５１、着用者の手の甲および掌を包被する手包被部５２、着用者の母指１２、示指１３、長指１４、薬指１５、小指１６を包被する五指包被部５３〜５７を有する。手袋１０Ｂは、それを着用した着用者の母指１２、示指１３、長指１４、薬指１５、小指１６のうちの末節骨が延びる各指先部位１７〜２１を衝撃から保護し、着用者の各指先部位１７〜２１の怪我を防止する。手袋５０Ｂは、五指包被部５３〜５７の各指先端部分５８〜６２の内側に配置されて着用者の各指先部位１７〜２１を覆う所定硬度の複数の殻部材３８を有する。
【００８５】
それら殻部材３８は、着用者の母指１２の母指指先部位１７の指の甲全域および指の腹側面を覆う１個の第１殻部材３８ａと、着用者の示指１３の示指指先部位１８、長指１４の長指指先部位１９、薬指１５の薬指指先部位２０の指の甲全域および指の腹側面を覆う３個の第２殻部材３８ｂと、着用者の小指１６の小指指先部位２１の指の甲全域および指の腹側面を覆う１個の第３殻部材３８ｃとから形成されている。第１〜第３殻部材３８ａ〜３８ｃは図５のそれらと同一であるから、図５と同一の符号を付すとともに、図５〜図８の説明を援用することで、第１〜第３殻部材３８ａ〜３８ｃの詳細な説明は省略する。
【００８６】
第１殻部材３８ａは、開口部３９と指の甲全域および指の腹側面を包被する被覆部４０とを有し、手袋５０Ｂの母指包被部５３の母指先端部分５８の内側（内面）に接着剤によって固定されている。第２殻部材３８ｂは、開口部３９と指の甲全域および指の腹側面を包被する被覆部４０とを有し、手袋５０Ｂの示指包被部５４の示指先端部分５９や長指包被部５５の長指先端部分６０、薬指包被部５６の薬指先端部分６１の内側（内面）に接着剤によって固定されている。第３殻部材３８ｃは、開口部３９と指の甲全域および指の腹側面を包被する被覆部４０とを有し、手袋５０Ｂの小指包被部５７の小指先端部分６２の内側（内面）に接着剤によって固定されている。
【００８７】
第１〜第３殻部材３８ａ〜３８ｃの被覆部４０の内面には、ポリウレタンシート、塩化ビニル樹脂シート、ＥＶＡ樹脂シート、繊維不織布等の柔軟なシート材３５（クッション材）が接着剤によって取り付けられている（貼付されている）。なお、第１〜第３殻部材３８ａ〜３８ｃの被覆部４０の内面にシート材３５が取り付けられていなくてもよい。
【００８８】
手袋５０Ｂを着用するには、着用者が手３７（右手）を手袋５０Ｂの開口６３から手袋５０Ｂ内部に挿入し、母指１２を母指包被部５３に挿入しつつ、母指指先部位１７を母指先端部分５８に挿入する。示指１３を示指包被部５４に挿入しつつ、示指指先部位１８を示指先端部分５９に挿入し、長指１４を長指包被部５５に挿入しつつ、長指指先部位１９を長指先端部分６０に挿入するとともに、薬指１５を薬指包被部５６に挿入しつつ、薬指指先部位２０を薬指先端部分６１に挿入する。小指１６を小指包被部５７に挿入しつつ、小指指先部位２１を小指先端部分６２に挿入する。
【００８９】
着用者が母指指先部位１７を手袋５０Ｂの母指先端部分５８に挿入すると、母指指先部位１７が第１殻部材３８ａの内部に進入し、母指指先部位１７の指の甲全域および指の腹側面が第１殻部材３８ａの被覆部４０に包皮され、母指指先部位１７の指の腹が開口部３９から露出する。着用者が示指指先部位１８を手袋５０Ｂの示指先端部分５９に挿入すると、示指指先部位１８が第２殻部材３８ｂの内部に進入し、示指指先部位１８の指の甲全域および指の腹側面が第２殻部材３２ｂの被覆部４０に包皮され、示指指先部位１８の指の腹が開口部３９から露出する。
【００９０】
着用者が長指指先部位１９を手袋５０Ｂの長指先端部分６０に挿入すると、長指指先部位１９が第２殻部材３８ｂの内部に進入し、長指指先部位１９の指の甲全域および指の腹側面が第２殻部材３８ｂの被覆部４０に包皮され、長指指先部位１９の指の腹が開口部３９から露出する。着用者が薬指指先部位２０を手袋５０Ｂの薬指先端部分６１に挿入すると、薬指指先部位２０が第２殻部材３８ｂの内部に進入し、薬指指先部位２０の指の甲全域および指の腹側面が第２殻部材３８ｂの被覆部４０に包皮され、薬指指先部位２０の指の腹が開口部３９から露出する。着用者が小指指先部位２１を手袋５０Ｂの小指先端部分６２に挿入すると、小指指先部位２１が第３殻部材３２ｃの内部に進入し、小指指先部位２１の指の甲全域および指の腹側面が第３殻部材３２ｃの被覆部４０に包皮され、小指指先部位２１の指の腹が開口部３９から露出する（図８援用）。
【００９１】
第１〜第３殻部材３８ａ〜３８ｃが取り付けられた手袋５０Ｂを着用した着用者が所定の作業中に、手袋５０Ｂの母指先端部分５８に衝撃が加えられた場合、第１殻部材３８ａの被覆部４０がその衝撃を吸収・緩和し、着用者の母指指先部位１７をその衝撃から保護し、手袋５０Ｂの示指先端部分５９に衝撃が加えられた場合、第２殻部材３８ｂの被覆部４０がその衝撃を吸収・緩和し、着用者の示指指先部位１８をその衝撃から保護する。手袋５０Ｂの長指先端部分６０に衝撃が加えられた場合、第２殻部材３８ｂの被覆部４０がその衝撃を吸収・緩和し、着用者の長指指先部位１９をその衝撃から保護し、手袋５０Ｂの薬指先端部分６１に衝撃が加えられた場合、第２殻部材３８ｂの被覆部４０がその衝撃を吸収・緩和し、着用者の薬指指先部位２０をその衝撃から保護するとともに、手袋１１の小指先端部分６２に衝撃が加えられた場合、第３殻部材３８ｃの被覆部４０がその衝撃を吸収・緩和し、着用者の小指指先部位２１をその衝撃から保護する。
【００９２】
手袋５０Ｂは、着用者の各指先部位１７〜２１を覆う所定硬度の第１〜第３殻部材３８ａ〜３８ｃが手袋５０Ｂの各指先端部分５８〜６２の内側に固定され、第１〜第３殻部材３８ａ〜３８ｃが着用者の各指１２〜１６の指先部位１７〜２１の大きさに合致し、それら殻部材３８ａ〜３８ｃの被覆部４０が着用者の母指１２、示指１３、長指１４、薬指１５、小指１６のうちの各指先部位１７〜２１の全域を覆うから、手袋５０Ｂの着用中に各指先端部分５８〜６２に衝撃が加えられたとしても、その衝撃をそれら殻部材３８ａ〜３８ｃの被覆部４０が吸収・緩和し、着用者の指先部位１７〜２１をその衝撃から確実に保護することができ、危険な作業を行う場合の各指先部位１７〜２１の怪我を未然に防ぐことができる。
【００９３】
手袋５０Ｂは、着用者の指の腹がそれら殻部材３８ａ〜３８ｃの開口部３９から露出するから、着用者の各指先部位１７〜２１の触覚が失われることはなく、手袋５０Ｂの着用が必要な作業の作業性を向上させることができる。手袋５０Ｂは、被覆部４０がその各指先端部分５８〜６２の内側（内面）に固定されているから、手袋５０Ｂの着用中にそれら殻部材３８ａ〜３８ｃが各指先端部分５８〜６２においてずれ動くことはなく、それら殻部材３８ａ〜３８ｃが各指先端部分５８〜６２においてずれ動くことによる手袋５０Ｂの作業性の低下を防ぐことができるとともに、手袋５０Ｂの着用中において指の甲全域および指の腹側面の被覆部４０による被覆状態が維持され、着用者の指の甲全域および指の腹側面を確実に保護することができる。
【００９４】
手袋５０Ｂは、第１〜第３殻部材３８ａ〜３８ｃの被覆部４０の内面に柔軟なシート材３５が取り付けられているから、着用者の各指先部位１７〜２１がそれら殻部材３８ａ〜３８ｃの被覆部４０の内面に当接したときの触感が向上するとともに、それら殻部材３８ａ〜３８ｃの被覆部４０の内面にクッション性を付与することができ、殻部材３８ａ〜３８ｃの保護機能を向上させることができる。第１〜第３殻部材３８ａ〜３８ｃがプラスチックまたは軽量な金属から作られているから、手袋５０Ｂの各指先端部分５８〜６２の重量が必要以上に増加することはなく、手袋５０Ｂの各指先端部分５８〜６２の重量が増加することによる手袋５０Ｂの作業性の低下を防ぐことができる。
【符号の説明】
【００９５】
１０Ａ  手袋用指先保護具
１０Ｂ  手袋用指先保護具
１１    手袋
１２    母指
１３    示指
１４    長指
１５    薬指
１６    小指
１７    母指指先部位（指先部位）
１８    示指指先部位（指先部位）
１９    長指指先部位（指先部位）
２０    薬指指先部位（指先部位）
２１    小指指先部位（指先部位）
２２    母指包被部（五指包被部）
２３    示指包被部（五指包被部）
２４    長指包被部（五指包被部）
２５    薬指包被部（五指包被部）
２６    小指包被部（五指包被部）
２７    母指先端部分（指先端部分）
２８    示指先端部分（指先端部分）
２９    長指先端部分（指先端部分）
３０    薬指先端部分（指先端部分）
３１    小指先端部分（指先端部分）
３２    殻部材
３２ａ  第１殻部材
３２ｂ  第２殻部材
３２ｃ  第３殻部材
３３    開口部
３４    被覆部
３５    シート材
３６    開口
３７    手
３８    殻部材
３８ａ  第１殻部材
３８ｂ  第２殻部材
３８ｃ  第３殻部材
３９    開口部
４０    被覆部
５０Ａ  手袋
５０Ｂ  手袋
５１    手首包被部
５２    手包被部
５３    母指包被部（五指包被部）
５４    示指包被部（五指包被部）
５５    長指包被部（五指包被部）
５６    薬指包被部（五指包被部）
５７    小指包被部（五指包被部）
５８    母指先端部分（指先端部分）
５９    示指先端部分（指先端部分）
６０    長指先端部分（指先端部分）
６１    薬指先端部分（指先端部分）
６２    小指先端部分（指先端部分）
６３    開口
【図１】
2017036523.tif 000003
【図２】
2017036523.tif 000004
【図３】
2017036523.tif 000005
【図４】
2017036523.tif 000006
【図５】
2017036523.tif 000007
【図６】
2017036523.tif 000008
【図７】
2017036523.tif 000009
【図８】
2017036523.tif 000010
【図９】
2017036523.tif 000011
【図１０】
2017036523.tif 000012
【図１１】
2017036523.tif 000013
【図１２】
2017036523.tif 000014